(57)【特許請求の範囲】
【請求項１】
無端のベルトがテール側で拡げられてシュートから落下するばら物を受け取り、次にばら物を包み込んで丸められた状態でヘッド側へ走行するばら物運搬用パイプコンベヤにおいて；
前記シュートに後端部が連設されて前記ベルトの走行方向へ延びる左右の側壁およびそれらの間の頂部を塞いだ頂壁からなるスカート構体と、前記左右の側壁に沿って設けられ前記ベルトに接触させられた封止帯片と、前記スカート構体の前後両端の開口を塞いで前記ベルトに接触させられた遮蔽部材とを具え；
前記封止帯片は前記ベルトが拡げられた状態からなかば丸められた状態となるまでの区間で内側表面に接し、それより完全に丸められた状態となるまでの区間で外側表面に接するように配置されている、ことを特徴とする粉塵飛散防止装置。
【請求項２】
無端のベルトがばら物を包み込んで丸められた状態から拡げられ、ヘッドプーリで反転した際にばら物をシュートへ放出するばら物運搬用パイプコンベヤにおいて；
前記シュートに前端部が連接されて前記ベルトの走行方向へ延びる左右の側壁およびそれらの間の頂部を塞いだ頂壁からなるスカート構体と、前記左右の側壁に沿って設けられ前記ベルトに接触させられた封止帯片と、前記スカート構体の後端開口を塞いで前記ベルトに接触させられた遮蔽部材とを具え；
前記封止帯片は前記ベルトが丸められている状態からなかば拡げられた状態となるまでの区間で外側表面に接し、それより完全に拡げられた状態となるまでの区間で内側表面に接するように配置されている、ことを特徴とする粉塵飛散防止装置。
【請求項３】
無端のベルトがテール側で拡げられてシュートから落下するばら物を受け取り、次にばら物を包み込んで丸められた状態で走行し、ヘッド側で再び拡げられてばら物をシュートへ放出するばら物運搬用パイプコンベヤにおいて；
前記テール側に配置されている請求項１に記載したスカート構体、封止帯片、遮蔽部材、および前記ヘッド側に配置されている請求項２に記載したスカート構体、封止帯片、遮蔽部材を具えたことを特徴とする粉塵飛散防止装置。
【請求項４】
前記テール側に配置されている前記封止帯片が前記ベルトの内側表面に接する区間の前端に前記スカート構体の内部空間を前後に区画する遮断部材を具えた請求項１，２または３に記載の粉塵飛散防止装置。
【請求項５】
前記ヘッド側に配置されている封止帯片が前記ベルトの内側表面に接する区間の後端に前記スカート構体の内部空間を前後に区画する遮断部材を具えた請求項２または３に記載の粉塵飛散防止装置。
【発明の詳細な説明】
【０００１】
【発明の属する技術分野】
本発明はベルトを丸めてばら物を包み込んだ状態で運搬するパイプコンベヤにおいて、載荷部および脱荷部のいずれかまたは両方に施される粉塵対策手段に関するものである。
【０００２】
【従来の技術】
砂利、石炭、鉱石、穀物、飼料、ウッドチップなどのばら物を運搬するベルトコンベヤにおいて、ベルトをフランジ付き或いはトラフ形とする代わりに、両側端縁部を重ね合わせたパイプ状とし輸送能力を大幅に増大させることを計ったパイプコンベヤはかなり以前から知られており（特公昭４３−２２６９８号公報参照）、前記の輸送能力増大に加えて、運搬中にばら物の逸散や粉塵の飛散がない、露天で風雨の心配なく使用できる、などの利点を有している。
【０００３】
【発明が解決しようとする課題】
前述のパイプコンベヤは、載荷部でシュートを落下するばら物を受け取り、脱荷部でばら物をシュートに放出するため、載荷部であるテール側および脱荷部であるヘッド側で拡げられる。従って、テール側ではシュートからベルトに落下したばら物が粉塵を舞い上がらせ、ヘッド側ではベルトからシュートに放出されたばら物が粉塵を舞い上がらせ、ばら物の種類によってはそれぞれの周辺を粉塵が高濃度で浮遊して環境を汚染したり近くの作業者の健康を害する、という心配がある。
【０００４】
一般に、テール側のシュートにはベルトに落下したばら物を安定させるためのスカートが設けられており、このスカートは粉塵の飛散をある程度抑制することが可能である。しかし、粉塵の飛散抑制効果を期待してスカートの長大化を計っても、パイプコンベヤにおいてはベルトをテールプーリで反転した直後から丸め始めるので、スカート幅がベルトの両側端縁間隔よりも小さい範囲での長さに限定され、粉塵の飛散をなくすことは不可能である。
【０００５】
これに対して、ヘッド側は前述のようなスカートを具えておらず、ヘッドプーリを覆うようにシュート入口部分を形成してシュート内部で発生する粉塵の飛散を抑制しても、ベルトが拡げられることによって内部の粉塵が飛散するのを防ぐことはできない。
【０００６】
本発明はこれらの事情を背景に、パイプコンベヤのテール側においてシュートからベルトに落下したばら物が発生させる粉塵が周囲に飛散するのを防止すること、或いはヘッド側においてベルトが拡げられることによって内部で発生していた粉塵が周囲に飛散するのを防止すること、を課題としてなされたものである。
【０００７】
【課題を解決するための手段】
即ち、テール側の粉塵対策として、本発明はばら物をベルトに落下させるシュートに後端部が連接されてベルトの走行方向へ延びる左右の側壁およびそれらの間の頂部を塞いだ頂壁からなるスカート構体と、左右の側壁に沿って設けられたベルトに接触させた封止帯片と、スカート構体の前後両端の開口を塞いでベルトに接触させた遮蔽部材とを具えさせ、封止帯片はベルトが拡げられた状態からなかば丸められた状態となるまでの区間で内側表面に接し、それより完全に丸められた状態となるまでの区間で外側表面に接するように配置した。
【０００８】
これにより、シュートからベルトに落下したばら物はスカート構体と封止帯片と遮蔽部材とによって密閉された空間を経てパイプ状に丸められたベルトに包まれ、ばら物から発生する粉塵は密閉空間およびパイプ状のベルトに封入されて周囲に飛散することがない。
【０００９】
次に、ヘッド側の粉塵対策として、本発明はベルトのばら物を放出させるシュートに前端部が連設されてベルトの走行方向へ延びる左右の側壁およびそれらの間の頂部を塞いだ頂壁からなるスカート構体と、左右の側壁に沿って設けられベルトに接触させた封止帯片と、スカート構体の後端開口を塞いでベルトに接触させた遮蔽部材とを具えさせ、封止帯片はベルトが丸められている状態からなかば拡げられた状態となるまでの区間で外側表面に接し、それより完全に拡げられた状態となるまでの区間で内側表面に接するように配置した。
【００１０】
これにより、ばら物放出のためベルトが拡げられることによって封入されている粉塵が飛散しようとしても、スカート構体と封止帯片と遮蔽部材とに囲まれた空間内にとどめられることとなる。
【００１１】
また、前記のテール側およびヘッド側の両方の粉塵対策手段を一つのパイプコンベヤに施す場合がある。
【００１２】
更にまた、テール側およびヘッド側について、封止帯片のベルト内側表面への接触区間と外側表面への接触区間との境界部分において、スカート構体の内部空間を前後に区画する遮断部材を設けることにより、粉塵の飛散防止効果が一段と向上する。
【００１３】
【発明の実施の形態】
図面を参照して本発明の実施の形態を説明すると、図１はベルトコンベヤの全体を概略的に示したものであって、設置区間の後方端に配置されたテールプーリ１と前方端に配置されたヘッドプーリ２とに無端のベルト３が巻き掛けられており、このベルトは前記二つのプーリ１，２への巻き掛け部分で扁平形状とされているが、それ以外の往路部分と復路部分とではそれぞれの入口部に配置した集束用の案内ローラによってトラフ形状を経てパイプ状に丸められ、保形ローラによってパイプ形状を維持しながら走行し、それぞれの出口部に配置した延展用の案内ローラによってトラフ形状を経て扁平に拡げられる動作を繰り返して循環する。そして、運搬物であるばら物はテール側でホッパ７からシュート８を通ってベルト３のトラフ形状部分４の成形始め個所に落下し、パイプ形状部分５で完全に包まれた状態でヘッド側に運搬され、ヘッドプーリ２でベルト３が反転することによりシュート３５に放出される。
【００１４】
テール側のシュート８およびヘッド側のシュート３５には本発明の粉塵対策手段が連設されている。
【００１５】
先ず、テール側の粉塵対策手段について図２の（Ａ）に示す概略平面図および（Ｂ）、（Ｃ）、（Ｄ）、（Ｅ）、（Ｆ）、（Ｇ）、（Ｈ）に示す各部の断面図を参照して説明する。
【００１６】
一般に、ばら物運搬用のベルトコンベヤにおいては、シュートから落下したばら物をベルトコンベヤで安定させるためのスカートが設けられている。本発明ではこのスカートのシュート８の側壁１０に連接されてベルト３の走行方向へ延びる互いに平行な左右の側壁１２を第一側壁とし、次第に丸められて上方への開口幅が狭くなるトラフ形状部分４に挿入された前方へ向かって間隔が次第に狭くなる左右の第二側壁１５を第一側壁１２の前端に連設した。更に、トラフ形状部分４の開口幅がかなり狭くなった部分からベルト３の両側端縁部が重なり合ったパイプ形状部分５に亘って前方へ向かって間隔が次第に狭くなる左右の第三側壁１８を第二側壁１５の前端に後端をほぼ揃え且つベルト３の外側表面上方に設置した。
【００１７】
これら第一、第二、第三の側壁１２，１５，１８はベルト３を案内する各種のプーリやローラまたはそれらの支持装置、その他ベルトコンベヤの諸設備を取り付けて設置区間全長に亘って延びるフレーム４０に固定され、且つそれらの間の頂部は第一、第二、第三の頂壁１３，１６，１９によって解放可能且つ気密にふさがれ、三つの構体ユニット１１，１４，１７からなるスカート構体２０を構成している。第一の頂壁１３はシュート８の頂壁９および第二の頂壁１６と連続している。
【００１８】
第一の構体ユニット１１の側壁１２は、前述のようにばら物を安定させるスカートをそのまま利用するものであって、ベルト３のパイプ形状部分５の内側表面となる上向き表面に接触させたゴム製の柔軟帯板２１を取り付けている。この第一側壁１２は柔軟帯板２１よりも前方へ延びており、その全長に亘って柔軟帯板２１の外側方に位置させてゴム板製の柔軟な第一の封止帯片２２がベルト３の内側表面に接触させて取り付けられている。
【００１９】
また、第二の構体ユニット１４の側壁１５にはその全長に亘ってゴム板製の柔軟な第二の封止帯片２４がベルト３の内側表面に接触させて取り付けられ、更に第三の構体ユニット１７の側壁１８にはその全長に亘ってゴム板製の柔軟な第三の封止帯片２６がベルト３の外側表面に接触させて取り付けられている。
【００２０】
これらの封止帯片２２，２４，２６は側壁１２，１５，１８に全長に亘って気密に且つ取り外し可能に取り付けられ、またベルト３への接触部分に高柔軟質のゴム板からなるシール材２３，２５，２７を積層してベルト３の中心先を挟んだ対称位置の両側端縁部表面に面接触させている。
【００２１】
更に、第一構体ユニット１１の後端面には、ゴム板製の遮蔽部材２８が設けられ、下端縁がベルト３に接してスカート構体２０の後端を封止している。更にまた、第三構体ユニット１７の後端面には、トラフ形状部分４の開口幅がかなり狭くなった部位におけるベルト３の上部外側表面に合致する円弧状の下端縁とされたゴム板製の遮断部材２９が設けられ、ベルト３に接してスカート構体２０の内部空間を前後に遮断区画しているとともに、前端面にはパイプ形状部分５の上部外側表面に合致する円弧状の下端縁とされたゴム板製の遮蔽部材３０が設けられ、ベルト３に接してスカート構体２０の前端を封止している。
【００２２】
ホッパ７からシュート８を通って落下するばら物は、これを載せたベルトがトラフ形状部分４を経てパイプ状に完全に丸められるまでの間、シュート８に連通してベルト３とその上方のスカート構体２０とに囲まれた空間内を通るが、この空間は封止帯片２２，２４，２６と遮蔽部材２８，３０、更に遮断部材２９によって密閉されている。従って、ばら物の落下によって発生した粉塵は前記の密閉空間に封入されて周囲に飛散することがない。
【００２３】
尚、遮断部材２９は第二の封止帯片２４と第三の封止帯片２６との切り換わり個所に形成される第二、第三の側壁１５，１８の間の隙間を塞ぐものであるが、この隙間は狭いので省略しても差し支えない。また、第一の側壁１２は既設のスカートを利用することなく、本発明のために設けてもよく、この場合は封止帯片２２にばら物安定化作用を兼用させる。
【００２４】
次に、ヘッド側の粉塵対策手段について、図３の（Ａ）に示す概略平面図および（Ｂ）、（Ｃ）、（Ｄ）、（Ｅ）、（Ｆ）、（Ｇ）に示す各部の断面図を参照して説明する。
【００２５】
この粉塵対策手段はテール側のものと基本的に同じであり、パイプ形状部分５が拡げられはじめる部分からベルト３の両側端縁がある程度離れて狭い開口幅のトラフ形状部分４となる部分に亘って前方へ向かって間隔が次第に大きくなる左右の第一側壁４２がベルト３の外側表面上方に配置されている。これよりトラフ形状部分４の開口幅がかなり大きくなる部分に亘って前方へ向かって間隔が次第に大きくなる左右の第二側壁４５が挿入されてベルト３の内側表面上に設置され、第一側壁４２の前端と第二側壁４５の後端とは隙間を有して互いに重なっている。更に、互いに平行な左右の第三側壁４８が第二側壁４５の前端にトラフ形状部分４に挿入して連接され、その前端はばら物放出用シュート３５の左右の側壁３６に連接されている。
【００２６】
これら第一、第二、第三の側壁４２，４５，４８はフレーム４０に固定され、且つそれらの間の頂部は第一、第二、第三の頂壁４３，４６，４９によって解放可能且つ気密に塞がれ、三つの構体ユニット４１，４４，４７からなるスカート構体５０を構成している。第三の頂壁４９はシュート３５の頂壁３９および第二の頂壁４６と連続している。
【００２７】
第一の構体ユニット４１の側壁４２にはその全長に亘ってゴム板製の柔軟な第一の封止帯片５１がベルト３の内側表面に接触させて取り付けられており、第二、第三の構体ユニット４４，４７の各側壁４５，４８にはそれぞれの全長に亘ってゴム板製の柔軟な第二、第三の封止帯片５３，５５がベルト３の内側表面に接触させて取り付けられている。
【００２８】
これらの封止帯片５１，５３，５５は側壁４２，４５，４８に全長に亘って気密に且つ取り外し可能に取り付けられ、またベルト３への接触部分に高柔軟質のゴム板からなるシール部材５２，５４，５６を積層してベルト３の中心線を挟んだ対称位置の両側端縁部表面に面接触させている。
【００２９】
更に、第一構体ユニット４１の後端面にはパイプ形状部分５の上部外側周面に合致する円弧形の下端縁とされたゴム板製の遮蔽部材５８が設けられ、ベルト３に接してスカート構体５０の後端を封止している。更にまた、第二構体ユニット４４の後端面にはトラフ形状部分４の上部外側表面に合致する円弧形の下端縁とされたゴム板製の遮断部材５９が設けられ、ベルト３に接して第一の封止帯片５１と第二の封止帯片５３との切り換わり個所に形成される第一、第二の側壁４２，４５の間の狭い隙間を塞いでいる。
【００３０】
第三構体ユニット４７の側壁４８には、ベルト３が拡げられるに従ってばら物が崩れ、振動により封止帯片５５とベルト３との間に食い込むのを防ぐゴム製の柔軟帯板６０が取り付けられている。この帯板６０は後端位置が封止帯片５５と同じであって、その内側に配置されてベルト３の上向き表面に接触しているとともにヘッドプーリ２の中心軸線上方まで延びている。これにより、ばら物は安定して運搬され、そのままシュート３５に放出されることとなる。
【００３１】
ヘッドプーリ２はシュート３５の側壁３６の間隔よりも長く作られていて両端部が側壁３６の通孔３９を緩く貫通し、これらの隙間は側壁３６に取り付けた環状のシール部材６１によって封止されている。
【００３２】
これは、ヘッドプーリ２がドライビングプーリでなく、従ってプーリドラムが固定軸に回転自由に支持されていて軸受が粉塵の雰囲気にさらされやすいものである場合に特に有効であり、スカート構体５０とシュート３５とは遮蔽部材５８、封止帯片５１，５３，５５、シール部材６１によって、パイプ形状部分５から連続する密閉空間を形成し、ばら物から発生する粉塵を封入して周囲に飛散させることなくシュート３５に放出することができる。
【００３３】
尚、スカート構体５０をシュート３５に連続することなく別体とした場合は、その前端面にばら物が通過できる隙間を有する遮蔽部材を設けることにより、ベルト３で運搬中に発生する粉塵を封入しておくことができる。
【００３４】
尚また、設置場所の状況によってテール側およびヘッド側のいずれかのみに前述の粉塵対策を施してもよいことは勿論である。
【００３５】
【発明の効果】
以上のように、ベルトが拡げられた部分とパイプ状に丸められた部分との間においてばら物を大気中に露出させないようにした本発明によると、テール側でベルトに落下したばら物が発生させる粉塵、或いはヘッド側でベルトが拡げられることによって内部に発生していた粉塵が周囲に飛散しなくなり、環境の汚染や軸受の損傷が防止されるものである。
【図面の簡単な説明】
【図１】本発明が適用されたパイプコンベヤの概略側面図。
【図２】テール側の粉塵対策手段を示すものであって、（Ａ）は平面概略図、（Ｂ）、（Ｃ）、（Ｄ）、（Ｅ）、（Ｆ）、（Ｇ）、（Ｈ）は（Ａ）のＢ、Ｃ、Ｄ、Ｅ、Ｆ、Ｇ、Ｈにおける拡大断面部分図。
【図３】ヘッド側の粉塵対策手段を示すものであって、（Ａ）は平面概略図、（Ｂ）、（Ｃ）、（Ｄ）、（Ｅ）、（Ｆ）、（Ｇ）は（Ａ）のＢ、Ｃ、Ｄ、Ｅ、Ｆ、Ｇにおける拡大断面部分図。
【符号の説明】
１  テールプーリ、２  ヘッドプーリ、３  ベルト、４  トラフ形状部分、５パイプ形状部分、８，３５  シュート、１２，１５，１８，４２，４５，４８側壁、１３，１６，１９，４３，４６，４９  頂壁、２０，５０  スカート構体、２２，２４，２６，５１，５３，５５  封止帯片、２８，３０，５８  遮蔽部材、２９，５９  遮断部材、
【図１】
0003734861.tif 000002
【図２】
0003734861.tif 000003
【図３】
0003734861.tif 000004